(57)【要約】【課題】使用者の腕を効率よく温める。【解決手段】肘掛部３Ａは、使用者の前腕が載置される載置部と、載置部に内装され載置部の長手方向に沿って延在し載置部の全体を加熱可能な温熱部６０と、載置部に載置された前腕に対面し、一端側が固定されて一端側を固定端とし、その反対である他端側を自由端とするように配置された膨縮袋５２と、膨縮袋５２の前腕に対面する側とは反対側に設けられた内壁部３２とを含む。膨縮袋５２の前腕に対面する部分５４は固定端を起点として自由端の側が内壁部３２から離れるように移動し、載置部に接近して前腕を載置部に押し付ける。【選択図】図５
2015002902.tif 000002
【特許請求の範囲】
【請求項１】
肘掛部を備えた椅子式マッサージ機であって、
前記肘掛部は、
使用者の前腕が載置される載置部と、
前記載置部に内装され、前記載置部の長手方向に沿って延在し、前記載置部の全体を加熱可能な温熱部と、
前記載置部に載置された前腕に対面し、一端側が固定されて前記一端側を固定端とし、前記一端側の反対である他端側を自由端とするように配置された膨縮袋と、
前記膨縮袋の前腕に対面する側とは反対側に設けられた内壁部と、を含み、
圧縮空気が前記膨縮袋に供給されることで、前記膨縮袋の前腕に対面する部分は前記固定端を起点として前記自由端の側が前記内壁部から離れるように移動し、前記載置部に接近して前腕を前記載置部に押し付ける、
椅子式マッサージ機。
【請求項２】
前記長手方向において、前記温熱部が設けられている領域の長さは、前記膨縮袋が設けられている領域の長さよりも長い、
請求項１に記載の椅子式マッサージ機。
【請求項３】
前記温熱部は、熱線を備え、
前記温熱部内には、前記熱線がＵ字形状およびその反対向きのＵ字形状に交互に折り曲げられることにより、複数のＵ字形状部が形成されており、
前記熱線は、前記熱線のうちの使用者の手指側に位置する部分の方が、前記熱線のうちの使用者の肘側に位置する部分に比べて前記Ｕ字形状部同士の間隔が狭くなるように形成されている、
請求項１または２に記載の椅子式マッサージ機。
【請求項４】
前記内壁部は、間隔を空けて互いに対向する第１内壁部および第２内壁部を有し、
前記膨縮袋は、前記第１内壁部の前腕が配置される側に設けられた第１膨縮袋と、前記第２内壁部の前腕が配置される側に設けられた第２膨縮袋とを有し、
前記第１膨縮袋および前記第２膨縮袋は、前記載置部側に位置する端部を前記固定端とし、その反対側の端部を前記自由端とするようにそれぞれ配置されている、
請求項１から３のいずれか１項に記載の椅子式マッサージ機。
【発明の詳細な説明】
【技術分野】
【０００１】
本発明は、肘掛部を備えた椅子式マッサージ機に関する。
【背景技術】
【０００２】
特開２０１３−０２２４０４号公報（特許文献１）は、肘掛部を備えた椅子式マッサージ機を開示している。この肘掛部の内側には、膨縮袋が設けられる。膨縮袋は、膨張および収縮の作用より、使用者の前腕および手首等を揉みほぐすことができる。
【０００３】
特開２００６−３３４０２７号公報（特許文献２）は、凹状受部を備えたマッサージ機を開示している。この凹状受部は、被施療部位を収容できる。凹状受部の内側面には、被施療部位を側方から押圧する押圧体が設けられる。凹状受部の内底面には指圧棒が配設され、指圧棒の外側にはヒータが配置される。
【先行技術文献】
【特許文献】
【０００４】
【特許文献１】特開２０１３−０２２４０４号公報
【特許文献２】特開２００６−３３４０２７号公報
【発明の概要】
【発明が解決しようとする課題】
【０００５】
特開２０１３−０２２４０４号公報（特許文献１）に開示された椅子式マッサージ機は、肘掛部内にヒータなどの温熱手段を備えていない。特開２００６−３３４０２７号公報（特許文献２）に開示されたマッサージ機は、凹状受部の内底面中央部分に指圧棒が配設されていることから、使用者の肢体とヒータとが接触しがたく、十分な温熱効果が得られにくい。
【０００６】
本発明は、使用者の腕を効率よく温めることが可能な肘掛部を備えた椅子式マッサージ機を提供することを目的とする。
【課題を解決するための手段】
【０００７】
本発明に基づく椅子式マッサージ機は、肘掛部を備えた椅子式マッサージ機であって、上記肘掛部は、使用者の前腕が載置される載置部と、上記載置部に内装され、上記載置部の長手方向に沿って延在し、上記載置部の全体を加熱可能な温熱部と、上記載置部に載置された前腕に対面し、一端側が固定されて上記一端側を固定端とし、上記一端側の反対である他端側を自由端とするように配置された膨縮袋と、上記膨縮袋の前腕に対面する側とは反対側に設けられた内壁部と、を含み、圧縮空気が上記膨縮袋に供給されることで、上記膨縮袋の前腕に対面する部分は上記固定端を起点として上記自由端の側が上記内壁部から離れるように移動し、上記載置部に接近して前腕を上記載置部に押し付ける。
【０００８】
好ましくは、上記長手方向において、上記温熱部が設けられている領域の長さは、上記膨縮袋が設けられている領域の長さよりも長い。
【０００９】
好ましくは、上記温熱部は、熱線を備え、上記温熱部内には、上記熱線がＵ字形状およびその反対向きのＵ字形状に交互に折り曲げられることにより、複数のＵ字形状部が形成されており、上記熱線は、上記熱線のうちの使用者の手指側に位置する部分の方が、上記熱線のうちの使用者の肘側に位置する部分に比べて上記Ｕ字形状部同士の間隔が狭くなるように形成されている。
【００１０】
好ましくは、上記内壁部は、間隔を空けて互いに対向する第１内壁部および第２内壁部を有し、上記膨縮袋は、上記第１内壁部の前腕が配置される側に設けられた第１膨縮袋と、上記第２内壁部の前腕が配置される側に設けられた第２膨縮袋とを有し、上記第１膨縮袋および上記第２膨縮袋は、上記載置部側に位置する端部を上記固定端とし、その反対側の端部を上記自由端とするようにそれぞれ配置されている。
【発明の効果】
【００１１】
本発明によれば、使用者の腕を効率よく温めることが可能な肘掛部を備えた椅子式マッサージ機を得ることができる。
【図面の簡単な説明】
【００１２】
【図１】実施の形態における椅子式マッサージ機を示す斜視図である。
【図２】実施の形態における椅子式マッサージ機の肘掛部を示す斜視図である。
【図３】実施の形態における椅子式マッサージ機の肘掛部から外装カバーを外した状態を示す平面図である。
【図４】実施の形態における椅子式マッサージ機の肘掛部から外装カバーを外した状態を示す第１斜視図である。
【図５】実施の形態における椅子式マッサージ機の肘掛部から外装カバーを外した状態を示す第２斜視図である。
【図６】図５中におけるＶＩ−ＶＩ線に沿った矢視断面図である。
【図７】実施の形態における椅子式マッサージ機に用いられる温熱部を示す平面図である。
【図８】実施の形態における椅子式マッサージ機の膨縮袋に圧縮空気を供給したときの様子を模式的に示す断面図である。
【図９】実施の形態の第１変形例における肘掛部を示す断面図である。
【図１０】実施の形態の第２変形例における肘掛部を示す断面図である。
【図１１】実施の形態の第３変形例における肘掛部を示す断面図である。
【図１２】実施の形態の第４変形例における肘掛部を示す断面図である。
【図１３】実施の形態の第５変形例における肘掛部を示す断面図である。
【図１４】実施の形態の第６変形例における肘掛部を示す断面図である。
【図１５】実施の形態の第７変形例における肘掛部を示す断面図である。
【図１６】実施の形態の第８変形例における肘掛部を示す断面図である。
【発明を実施するための形態】
【００１３】
本発明に基づいた実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。
【００１４】
（椅子式マッサージ機１００）
図１を参照して、実施の形態における椅子式マッサージ機１００について説明する。椅子式マッサージ機１００は、背凭れ部１、座部２、肘掛部３Ａ，３Ｂ、および脚支持部４を備える。座部２は、使用者が座る部位である。背凭れ部１および脚支持部４は、マッサージ機構（図示せず）を内装している。マッサージ機構により、使用者の身体は揉みほぐされる。
【００１５】
背凭れ部１は、リクライニング機能を有し、座部２の後方に立設されている。肘掛部３Ａは、右腕用であり、座部２の右側に配置されている。肘掛部３Ｂは、左腕用であり、座部２の左側に配置されている。脚支持部４は、座部２の前方に垂設されている。脚支持部４は、脚支持部４の上端を起点として、脚支持部４の下端側の部分が回動可能に構成されている。
【００１６】
（肘掛部３Ａ）
図２は、肘掛部３Ａを示す斜視図である。図３は、肘掛部３Ａから外装カバー８０（図２）を外した状態を示す平面図である。図４は、肘掛部３Ａから外装カバー８０を外した状態を示す第１斜視図である。図５は、肘掛部３Ａから外装カバー８０を外した状態を示す第２斜視図である。図５中には、説明上の便宜のため、肘掛部３Ａから取り外した状態の温熱部６０（詳細は後述する）および膨縮袋４１，４２，５１，５２（詳細は後述する）を、点線を用いて図示している。
【００１７】
図６は、図５中におけるＶＩ−ＶＩ線に沿った矢視断面図である。図６中には、使用者２００の一部（右わき腹）と、使用者２００の前腕３００（右腕）とが図示されている。肘掛部３Ｂ（図１）は、肘掛部３Ａと同様の構成を有している。以下、肘掛部３Ａに着目してこれについて説明し、肘掛部３Ｂについての説明は繰り返さないものとする。以下の説明中における前後方向とは、使用者が座部２（図１参照）に通常の姿勢で着座したとき、その使用者から見た場合の前後方向に相当している。
【００１８】
図２に示すように、外装カバー８０は、肘掛部３Ａの全体を覆っている（図６も参照）。外装カバー８０は、たとえば布製の部材である。図３〜図５の中では、説明上の便宜のため外装カバー８０が図示されておらず、肘掛部３Ａの内部構造の露出した状態が図示されている。肘掛部３Ａは、載置部３０、内壁部３１，３２、前壁部３３、底部３４（図３，図５，図６）、膨縮袋４１，４２，５１，５２（図３〜図５）、および温熱部６０（図３〜図６）を備えている。
【００１９】
（載置部３０）
肘掛部３Ａの載置部３０は、使用者の前腕が載置される部位（使用者の前腕に接触する部位）である。載置部３０は、外装カバー８０の表面により形成されている部位である（図６参照）。肘掛部３Ａは、載置部３０が略水平になるように構成されている。載置部３０は、使用者の前腕、手首、および手指を載置可能なように所定の長さを有しており、椅子式マッサージ機１００（図１参照）の前後方向に沿って延びている。
【００２０】
（内壁部３１，３２・前壁部３３・底部３４）
図３および図６を参照して、肘掛部３Ａの内壁部３１，３２および底部３４は、椅子式マッサージ機の前後方向に沿って延びる形状を有する。内壁部３１（第１内壁部）および内壁部３２（第２内壁部）は、間隔を空けて互いに対向している。内壁部３１は、座部に着座した使用者２００の前腕３００から見て手前側（使用者の身体からみて椅子式マッサージ機１００の内側）に位置している。内壁部３２は、座部に着座した使用者２００の前腕３００から見て奥側（使用者の身体からみて椅子式マッサージ機１００の外側）に位置している。
【００２１】
前壁部３３（図３）は、内壁部３１の前方部と内壁部３２の前方部との間に設けられ、底部３４に対して略垂直な方向に起立している。内壁部３１，３２および前壁部３３を平面視した場合、これらは全体として略Ｕ字形状を有している。底部３４（図６）は、内壁部３１の下端と内壁部３２の下端との間に設けられている。底部３４は、おおよそ水平に配置されている。内壁部３１，３２は、底部３４に対して略垂直な方向に起立している。
【００２２】
内壁部３１，３２、前壁部３３および底部３４は、肘掛部３Ａの内部構造体の一部として機能し、使用者２００の前腕３００を収容するための空間をこれらの内側に形成している。内壁部３１，３２および底部３４を断面視した場合（図６参照）、これらは全体として略Ｕ字形状を有している。使用者２００は、前腕３００を上方から鉛直方向の下方に向かって落とし込むようにして、前腕３００を載置部３０（図２参照）上に置くことができる。
【００２３】
（膨縮袋４１，４２，５１，５２）
膨縮袋４１，４２，５１，５２は、いずれも帯状に延びる形状を有し、載置部３０に載置された前腕３００（図６参照）に対面することが可能なように配置されている。膨縮袋４１，４２，５１，５２は、給排気管を通して圧縮空気を供給されることにより膨張する。
【００２４】
具体的には、膨縮袋４１，５１は、内壁部３１の内側（前腕３００が配置される側）に並んで設けられている。膨縮袋４２，５２は、内壁部３２の内側（前腕３００が配置される側）に並んで設けられている。膨縮袋４１，４２は、前壁部３３の側（手指側）に配置され、膨縮袋５１，５２は、その反対側（肘側）に配置されている。また、膨縮袋４１，４２，５１，５２は、底部３４に対して略垂直な方向に起立した状態で配置されている。
【００２５】
膨縮袋４１は、押付面４３（図４）を有し、膨縮袋５１は、押付面５３（図４）を有している。膨縮袋４２は、押付面４４（図５）を有し、膨縮袋５２は、押付面５４（図５）を有している。膨縮袋４１および膨縮袋４２は、押付面４３および押付面４４同士が対向するように配置されており、膨縮袋５１および膨縮袋５２は、押付面５３および押付面４４同士が対向するように配置されている。
【００２６】
膨縮袋４１（図５）には、下方に延びる一対の固定部７１（第１固定部）が延設されている。膨縮袋５１にも、下方に延びる一対の固定部７１が設けられている。これらの固定部７１には、開口７３（図５）が設けられている。図３および図６に示すように、固定部７１は、内壁部３１と底部３４（図６）とに沿ってＬ字状に折り曲げられるように配置され、開口７３（図５）およびこれに挿通される止め具を用いて底部３４に固定されている。
【００２７】
膨縮袋４２（図５）には、下方に延びる一対の固定部７２（第２固定部）が延設されている。膨縮袋５２にも、下方に延びる一対の固定部７２が設けられている。これらの固定部７２には、開口７４（図５）が設けられている。図３および図６に示すように、固定部７２は、内壁部３２と底部３４（図６）とに沿ってＬ字状に折り曲げられるように配置され、開口７４（図５）およびこれに挿通される止め具を用いて底部３４に固定されている。
【００２８】
固定部７１（図６）は、膨縮袋５１の一端側（載置部３０側の端部）を底部３４に固定することにより、膨縮袋５１の一端側（載置部３０側の端部）を固定端とし、その反対である他端５５側を自由端としている。図６中には記載されていないが、この固定方式は、膨縮袋４１（図５）にも共通している。
【００２９】
固定部７２（図６）は、膨縮袋５２の一端側（載置部３０側の端部）を底部３４に固定することにより、膨縮袋５２の一端側（載置部３０側の端部）を固定端とし、その反対である他端５６側を自由端としている。図６中には記載されていないが、この固定方式は、膨縮袋４２（図５）にも共通している。
【００３０】
膨縮袋４１，４２，５１，５２は、それぞれ独立した別の給排気ホースに接続されている。膨縮袋４１，４２，５１，５２は、圧縮空気の供給により膨張し、その排出により収縮する。これらの膨縮袋は、同期するタイミングを持って、または異なるタイミングを持って膨張または収縮する。
【００３１】
たとえば、これらの膨縮袋が異なるタイミングで膨張または収縮する態様として、膨縮袋４１，４２が膨張しているときに膨縮袋５１，５２が収縮する態様が挙げられる。これらの膨縮袋がそれぞれ膨張と収縮とを繰り返すことにより、使用者の前腕のうち手首側に位置する部分と肘側に位置する部分とを交互に施療することが可能となる。
【００３２】
これらの膨縮袋を形成する部材の材質としては、伸縮性を有し、且つ空気の密封性に優れている高分子材料が使用されることが好ましく、ポリウレタン、６，６−ナイロン、６−ナイロン、ＡＢＳ、またはシリコーン樹脂を単独でまたは２つ以上併用して使用されることがさらに好ましい。これらの膨縮袋を形成する部材は、より空気の密封性を向上させるために単層ではなく２層以上の複数層により構成されても良い。
【００３３】
（温熱部６０）
図７は、温熱部６０を示す平面図である。図３，図５〜図７を参照して、温熱部６０は、外装カバー８０の裏側（底部３４側）であって、載置部３０の長手方向（椅子式マッサージ機の前後方向に相当）に沿って延在し、載置部３０の略全体を加熱可能な形状を有している。温熱部６０は、底部３４（図６）の上方において水平に配置されている。載置部３０の幅方向（椅子式マッサージ機の左右方向に相当）でみた場合、温熱部６０は、内壁部３１の側から内壁部３２の側に水平に延在する形状を有している。
【００３４】
図３に示すように、載置部３０の長手方向において、温熱部６０が設けられている領域Ｒ３の長さは、膨縮袋４１，５１が設けられている領域Ｒ１の長さよりも長く、膨縮袋４２，５２が設けられている領域Ｒ２の長さよりも長い。温熱部６０は、載置部３０内の広範囲にわたって延在しており、使用者の手指から肘にかけての広範囲を温めることが可能となっている。
【００３５】
本実施の形態の温熱部６０は、電気を供給されることにより発熱する熱線６１（図７）を含む。熱線６１は、複数回にわたってＵ字形状およびその反対向きのＵ字形状に交互に折り曲げられた形状を有している。温熱部６０内には、載置部３０の長手方向に並ぶ複数のＵ字形状部６２が形成されている。便宜上、図３〜図６においては、熱線６１を有する温熱部６０が模式的に図示されている。
【００３６】
図７中の間隔Ｐ１，Ｐ２は、１つのＵ字形状部６２の中に形成された２つの直線部分の間の間隔を示している。これら２つの直線部分は互いに略平行である。本実施の形態の熱線６１は、熱線６１のうちの使用者の手指側に位置する部分Ｒ１０（図３も参照）の方が、熱線６１のうちの使用者の肘側に位置する部分Ｒ２０（図３も参照）に比べて、Ｕ字形状部６２同士の間隔（換言すると、上記の２つの直線部分同士の間の間隔）が狭くなるように形成されている（間隔Ｐ１＜間隔Ｐ２）。手指側に位置する部分Ｒ１０は、熱線の間隔が密となっており、肘側に位置する部分Ｒ２０に比べて使用者に多くの温熱効果を提供することができる。すなわち、使用者の肢体で末端部に対応する位置でより温熱効果を得ることが可能となり、また、単に末端部のみではなく肢体の広範囲に温熱効果を提供することで、血行の促進を図ることができる。
【００３７】
上述の通り、外装カバー８０（図６）は、肘掛部３Ａの全体を覆っている。外装カバー８０は、膨縮袋５１の押付面５３、温熱部６０の表面、および、膨縮袋５２の押付面５４を覆っており、外装カバー８０のうちのこれらを覆っている部分は略Ｕ字形状を有している。使用者２００は、前腕３００を上方から鉛直方向の下方に向かって落とし込むようにして前腕３００を略Ｕ字形状の空間内に配置し、前腕３００を載置部３０上に置くことができる。上述の通り、載置部３０とは、外装カバー８０のうちの温熱部６０を覆っている部分の表面に形成された部位である。したがって外装カバー８０が温熱部６０を覆うことにより、温熱部６０は載置部３０に内装された状態を形成することになる。
【００３８】
（肘掛部３Ａの動作）
図８は、膨縮袋５１，５２、および図示しない膨縮袋４１，４２に圧縮空気を供給したときの様子を模式的に示す断面図である。膨縮袋５１は、第１膨縮袋として機能することができ、この場合には、膨縮袋５２は第２膨縮袋として機能する。膨縮袋４１も、第１膨縮袋として機能することができ、この場合には、膨縮袋４２が第２膨縮袋として機能する。
【００３９】
具体的には、膨縮袋５１の押付面５３は、膨縮袋５１から見て膨縮袋５１が前腕３００に対面する側に位置しているものであり、内壁部３１は、膨縮袋５１から見て押付面５３とは反対側に位置している。圧縮空気の供給により、膨縮袋５１は膨張する。内壁部３１は、膨縮袋５１が前腕３００から離れる方向に移動することを規制する。膨縮袋５１は、その断面形状がおおよそ三角形状に広がるように膨張する。膨縮袋５１は、内壁部３１の存在により前腕３００の側に向かって押し付けられ、固定端（固定部７１）の側を起点として他端５５の側（自由端の側）が内壁部３１から起き上がるように膨張する。押付面５３（膨縮袋５１の前腕３００に対面する部分）は、載置部３０に向かってこれに接近して前腕３００を載置部３０に押し付ける。
【００４０】
同じように、膨縮袋５２の押付面５４は、膨縮袋５２から見て膨縮袋５２が前腕３００に対面する側に位置しているものであり、内壁部３２は、膨縮袋５２から見て押付面５４とは反対側に位置している。圧縮空気の供給により、膨縮袋５２は膨張する。内壁部３２は、膨縮袋５２が前腕３００から離れる方向に移動することを規制する。膨縮袋５２は、その断面形状がおおよそ三角形状に広がるように膨張する。膨縮袋５２は、内壁部３２の存在により前腕３００の側に向かって押し付けられ、固定端（固定部７２）の側を起点として他端５６の側（自由端の側）が内壁部３２から起き上がるように膨張する。押付面５４（膨縮袋５２の前腕３００に対面する部分）は、載置部３０に向かってこれに接近して前腕３００を載置部３０に押し付ける。膨縮袋５１，５２の押圧力による施療（揉みほぐし動作）が行なわれる。
【００４１】
また、使用者２００の前腕３００は、膨縮袋５１，５２の押付面５３，５４により載置部３０に押し付けられる。このとき、載置部３０には温熱部６０のみが設けられていることから、前腕３００が載置部３０によりいっそう密着して、温熱部６０からより多くの熱量を受け取ることができるので、前腕３００を効率よく温めることができる。したがって肘掛部３Ａは、膨縮袋５１，５２の押圧力（揉みほぐし動作）による気持ち良さだけでなく、温熱部６０への押し付けによる暖かさにより、十分なリラックス効果を使用者２００に提供することができる。例えば「末端冷え性」と呼ばれる肢体の冷えの症状を改善するため、肢体の血流促進と温熱効果とを併用する際などに有用である。
【００４２】
［第１変形例］
図９は、実施の形態の第１変形例における肘掛部３Ｃを示す断面図である。実施の形態と第１変形例とでは、肘掛部３Ｃが膨縮袋４１，５１（図３等参照）を備えていないという点において相違する。すなわち、膨縮袋は、前腕３００の左右両側に設けられていなくてもよい。
【００４３】
圧縮空気の供給により、膨縮袋５２は膨張する。膨縮袋５２は、内壁部３２の存在により前腕３００の側に向かって押し付けられ、固定端（固定部７２）の側を起点として他端５６の側（自由端の側）が内壁部３２から起き上がるように膨張する。押付面５４（膨縮袋５２の前腕３００に対面する部分）は、載置部３０に向かってこれに接近して前腕３００を載置部３０に押し付ける。載置部３０には温熱部６０のみが設けられていることから、前腕３００は、膨縮袋５２の押付面５４により載置部３０に押し付けられ、温熱部６０からより多くの熱量を受け、効率よく温められることができる。
【００４４】
［第２変形例］
図１０は、実施の形態の第２変形例における肘掛部３Ｄを示す断面図である。第１変形例（図９）と第２変形例とでは、肘掛部３Ｄが温熱部６０Ａを備えているという点において相違する。温熱部６０Ａは、基台部６４および起立部６５を有する。起立部６５は、基台部６４のうちの内壁部３１側の端部から内壁部３１に沿って起立する形状を有している。
【００４５】
圧縮空気の供給により、膨縮袋５２は膨張する。膨縮袋５２は、内壁部３２の存在により前腕３００の側に向かって押し付けられる。この際、膨縮袋５２の膨張により発生する応力のうちの一部（分力）は、前腕３００を基台部６４に押し付け、他の一部は前腕３００を起立部６５に押し付ける。前腕３００は、基台部６４および起立部６５からより多くの熱量を受け、効率よく温められることができる。
【００４６】
［第３変形例］
図１１は、実施の形態の第３変形例における肘掛部３Ｅを示す断面図である。第３変形例においては、第２変形例（図１０）の構成に対して、膨縮袋と温熱部との配置関係が左右反対となっている。この構成によれば、使用者２００の右手４００の甲部分などを効果的に温めることができる。
【００４７】
［第４変形例］
図１２は、実施の形態の第４変形例における肘掛部３Ｆを示す断面図である。第４変形例と第１変形例とでは、肘掛部３Ｆが内壁部３１（図９参照）を備えていないという点において相違する。すなわち、内壁部は、前腕３００の左右両側に設けられていなくてもよい。当該構成によれば、使用者２００は、前腕３００を載置部３０上に配置しやすくなる。
【００４８】
［第５変形例］
図１３は、実施の形態の第５変形例における肘掛部３Ｇを示す断面図である。第５変形例においては、第４変形例（図１２）の構成に対して、内壁部３２が傾斜している。固定部７２は、内壁部３２上にて膨縮袋５２を内壁部３２に固定している。すなわち、内壁部は、鉛直方向に沿うように設けられている必要はなく、傾斜していてもよい。
【００４９】
圧縮空気の供給により、膨縮袋５２は膨張する。膨縮袋５２は、内壁部３２の存在により前腕３００の側に向かって押し付けられ、固定端（固定部７２）の側を起点として他端５６の側（自由端の側）が内壁部３２から起き上がるように膨張する。押付面５４（膨縮袋５２の前腕３００に対面する部分）は、載置部３０に向かってこれに接近して前腕３００を載置部３０に押し付ける。前腕３００は、膨縮袋５２の押付面５４により載置部３０に押し付けられ、温熱部６０からより多くの熱量を受け、効率よく温められることができる。
【００５０】
［第６変形例］
図１４は、実施の形態の第６変形例における肘掛部３Ｈを示す断面図である。第６変形例における肘掛部３Ｈは、第４変形例（図１２）の構成に加えて、内壁部３５をさらに備えている。内壁部３５は、底部３４に対して平行であり、使用者２００に遠い側から使用者２００に近い方に向けて略水平に延びている。固定部７２は、内壁部３２上にて膨縮袋５２を内壁部３２に固定している。膨縮袋５２の押付面５４は、膨縮袋５２から見て膨縮袋５２が前腕３００に対面する側に位置しているものであり、内壁部３５は、膨縮袋５２から見て押付面５４とは反対側に位置している。
【００５１】
圧縮空気の供給により、膨縮袋５２は膨張する。内壁部３５は、膨縮袋５２が前腕３００から離れる方向に移動することを規制する。膨縮袋５２は、その断面形状がおおよそ三角形状に広がるように膨張する。膨縮袋５２は、内壁部３５の存在により前腕３００の側に向かって押し付けられ、固定端（固定部７２）の側を起点として他端５６の側（自由端の側）が内壁部３５から起き上がるように膨張する。押付面５４（膨縮袋５２の前腕３００に対面する部分）は、載置部３０に向かってこれに接近して前腕３００を載置部３０に押し付ける。前腕３００は、膨縮袋５２の押付面５４により載置部３０に押し付けられ、温熱部６０からより多くの熱量を受け、効率よく温められることができる。
【００５２】
［第７変形例］
図１５は、実施の形態の第７変形例における肘掛部３Ｊを示す断面図である。第７変形例と第６変形例（図１４）とでは、固定部７２が、内壁部３５上にて膨縮袋５２を内壁部３５に固定しているという点において相違する。当該構成によっても、第６変形例と同様の作用および効果を得ることができる。
【００５３】
［第８変形例］
図１６は、実施の形態の第８変形例における肘掛部３Ｋを示す断面図である。第８変形例と第７変形例（図１５）とでは、肘掛部３Ｋが温熱部６０Ａを備えているという点において相違する。温熱部６０Ａは、基台部６４および起立部６５を有する。起立部６５は、基台部６４のうちの内壁部３２側の端部から内壁部３２に沿って起立する形状を有している。
【００５４】
圧縮空気の供給により、膨縮袋５２は膨張する。膨縮袋５２は、内壁部３５の存在により前腕３００の側に向かって押し付けられる。この際、膨縮袋５２の膨張により発生する応力のうちの一部（分力）は、前腕３００を基台部６４に押し付け、他の一部は前腕３００を起立部６５に押し付ける。前腕３００は、基台部６４および起立部６５からより多くの熱量を受け、効率よく温められることができる。
【００５５】
以上、本発明に基づいた実施の形態および各変形例について説明したが、今回開示された実施の形態および各変形例はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５６】
１  背凭れ部、２  座部、３Ａ，３Ｂ，３Ｃ，３Ｄ，３Ｅ，３Ｆ，３Ｇ，３Ｈ，３Ｊ，３Ｋ  肘掛部、４  脚支持部、３０  載置部、３１，３２，３５  内壁部、３３  前壁部、３４  底部、４１，４２，５１，５２  膨縮袋、４３，４４，５３，５４  押付面、５５，５６  他端、６０，６０Ａ  温熱部、６１  熱線、６２  Ｕ字形状部、６４  基台部、６５  起立部、７１，７２  固定部、７３，７４  開口、８０  外装カバー、１００  椅子式マッサージ機、２００  使用者、３００  前腕、４００  右手、Ｐ１，Ｐ２  間隔、Ｒ１，Ｒ２，Ｒ３  領域、Ｒ１０，Ｒ２０  部分。
【図１】
2015002902.tif 000003
【図２】
2015002902.tif 000004
【図３】
2015002902.tif 000005
【図４】
2015002902.tif 000006
【図５】
2015002902.tif 000007
【図６】
2015002902.tif 000008
【図７】
2015002902.tif 000009
【図８】
2015002902.tif 000010
【図９】
2015002902.tif 000011
【図１０】
2015002902.tif 000012
【図１１】
2015002902.tif 000013
【図１２】
2015002902.tif 000014
【図１３】
2015002902.tif 000015
【図１４】
2015002902.tif 000016
【図１５】
2015002902.tif 000017
【図１６】
2015002902.tif 000018